【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
外部を流れる被冷却流体と冷媒との間で熱交換を行う冷媒蒸発器であって、
前記被冷却流体の流れ方向に対して直列に配置された第１蒸発部（１０）、および第２蒸発部（２０）を備え、
前記第１蒸発部（１０）および前記第２蒸発部（２０）それぞれは、
前記冷媒が流れる複数のチューブ（１１１、２１１）を積層して構成されるコア部（１１、２１）と、
前記複数のチューブ（１１１、２１１）の両端部に接続され、前記複数のチューブ（１１１、２１１）を流れる前記冷媒の集合あるいは分配を行う一対のタンク部（１２、１３、２２、２３）とを有し、
前記第１蒸発部（１０）における前記コア部（１１）は、前記複数のチューブ（１１１）のうち、一部のチューブ群で構成される第１コア部（１１ａ）、および残部のチューブ群で構成される第２コア部（１１ｂ）を有し、
前記第２蒸発部（２０）における前記コア部（２１）は、前記複数のチューブ（２１１）のうち、前記被冷却流体の流れ方向において前記第１コア部 （１１ａ）の少なくとも一部と対向するチューブ群で構成される第３コア部（２１ａ）、および前記被冷却流体の流れ方向において前記第２コア部（１１ｂ）の少なくとも一部と対向するチューブ群で構成される第４コア部（２１ｂ）を有し、
前記第１蒸発部（１０）における前記一対のタンク部（１２、１３）のうち、一方のタンク部（１３）は、前記第１コア部（１１ａ）からの冷媒を集合させる第１冷媒集合部（１３ａ）、および前記第２コア部（１１ｂ）からの冷媒を集合させる第２冷媒集合部（１３ｂ）を含んで構成され、
前記第２蒸発部（２０）における前記一対のタンク部（２２、２３）のうち、一方のタンク部（２３）は、前記第３コア部（２１ａ）に冷媒を分配させる第１冷媒分配部（２３ａ）、および前記第４コア部（２１ｂ）に冷媒を分配させる第２冷媒分配部（２３ｂ）を含んで構成され、
前記第２冷媒集合部（１３ｂ）と前記第１冷媒分配部（２３ａ）とは、第１連通部（３１）を介して接続されており、
前記第１冷媒集合部（１３ａ）と前記第２冷媒分配部（２３ｂ）とは、第２連通部（３２）を介して接続されており、
前記第１蒸発部（１０）の前記一方のタンク部（１３）および前記第２蒸発部（２０）の前記一方のタンク部（２３）のうち、少なくとも一方のタンク部 （１３）の内部には、前記第１冷媒集合部（１３ａ）の冷媒を前記第２冷媒分配部（２３ｂ）に導くとともに、前記第２冷媒集合部（１３ｂ）の冷媒を前記第１ 冷媒分配部（２３ａ）に導く冷媒入替部（１３ｃ、１３ｄ）が設けられており、
前記冷媒入替部（１３ｃ、１３ｄ）は、前記第１冷媒集合部（１３ａ）からの前記冷媒を前記第２冷媒分配部（２３ｂ）へ導く冷媒流れ、および、前記第２冷媒集合部（１３ｂ）からの前記冷媒を前記第１冷媒分配部（２３ａ）へ導く冷媒流れが、前記チューブ（１１１、２２２）の長手方向から見たときに非交差状態となるように構成されており、
前記第１蒸発部（１０）の前記一対のタンク部（１２、１３）のうち他方のタンク部（１２）における、前記第２コア部（１１ｂ）よりも前記第１コア部（１１ａ）に近い側には、前記他方のタンク部（１２）内部に前記冷媒を導入するための冷媒導入部（１２ａ）が接続されており、
前記第２連通部（３２）は、前記第２蒸発部（２０）の前記一方のタンク部（２３）の、前記チューブ（１１１、２２２）の積層方向における前記冷媒導入部（１２ａ）から遠い側の端部に接続されており、
前記複数のチューブ（１１１、２２２）は、前記冷媒が鉛直方向に流れるように構成されており、
前記第１蒸発部（１０）における前記一方のタンク部（１３）の内部には、
タンク内空間を上側空間と下側空間とに仕切る第１仕切部（１３１）と、
前記上側空間を、前記チューブ（１１１、２２２）の積層方向に２つに仕切る第２仕切部（１３２）と、
前記下側空間の少なくとも一部を、前記被冷却流体の流れ方向に２つに仕切る第３仕切部（１３３）とが設けられており、
前記第２仕切部（１３２）により２つに仕切られた前記上側空間のうち、一方の空間が前記第１冷媒集合部（１３ａ）を形成するとともに、他方の空間が前記第２冷媒集合部（１３ｂ）を形成しており、
前記第３仕切部（１３３）により２つに仕切られた前記下側空間のうち、一方の空間（１３ｃ）が前記第１冷媒集合部（１３ａ）および前記第２冷媒分配部 （２３ｂ）の双方に連通しているとともに、他方の空間（１３ｄ）が前記第２冷媒集合部（１３ｂ）および前記第１冷媒分配部（２３ａ）の双方に連通しており、
前記第３仕切部（１３３）により２つに仕切られた前記下側空間（１３ｃ、１３ｄ）が、前記冷媒入替部を形成していることを特徴とする冷媒蒸発器。
【請求項２】
前記第３仕切部（１３３）は、
前記第１蒸発器（１０）の前記一方のタンク（１３）の、前記チューブ（１１１、２２２）の積層方向における前記冷媒導入部（１２ａ）に近い側の端部に接続されるとともに、前記下側空間の一部を前記被冷却流体の流れ方向に２つに仕切る第１部材（１３３ａ）と、
前記第１部材（１３３ａ）に接続されるとともに、前記第２蒸発器（２０）の前記一方のタンク（２３）側に向かって延びる第２部材（１３３ｂ）とを有しており、
前記第３仕切部（１３３）により２つに仕切られた前記下側空間のうち、前記一方の空間（１３ｃ）は、前記チューブ（１１１、２２２）の長手方向から見たときに略Ｌ字状に形成されていることを特徴とする請求項１に記載の冷媒蒸発器。
【請求項３】
外部を流れる被冷却流体と冷媒との間で熱交換を行う冷媒蒸発器であって、
前記被冷却流体の流れ方向に対して直列に配置された第１蒸発部（１０）、および第２蒸発部（２０）を備え、
前記第１蒸発部（１０）および前記第２蒸発部（２０）それぞれは、
前記冷媒が流れる複数のチューブ（１１１、２１１）を積層して構成されるコア部（１１、２１）と、
前記複数のチューブ（１１１、２１１）の両端部に接続され、前記複数のチューブ（１１１、２１１）を流れる前記冷媒の集合あるいは分配を行う一対のタンク部（１２、１３、２２、２３）とを有し、
前記第１蒸発部（１０）における前記コア部（１１）は、前記複数のチューブ（１１１）のうち、一部のチューブ群で構成される第１コア部（１１ａ）、および残部のチューブ群で構成される第２コア部（１１ｂ）を有し、
前記第２蒸発部（２０）における前記コア部（２１）は、前記複数のチューブ（２１１）のうち、前記被冷却流体の流れ方向において前記第１コア部 （１１ａ）の少なくとも一部と対向するチューブ群で構成される第３コア部（２１ａ）、および前記被冷却流体の流れ方向において前記第２コア部（１１ｂ）の少なくとも一部と対向するチューブ群で構成される第４コア部（２１ｂ）を有し、
前記第１蒸発部（１０）における前記一対のタンク部（１２、１３）のうち、一方のタンク部（１３）は、前記第１コア部（１１ａ）からの冷媒を集合させる第１冷媒集合部（１３ａ）、および前記第２コア部（１１ｂ）からの冷媒を集合させる第２冷媒集合部（１３ｂ）を含んで構成され、
前記第１蒸発部（１０）の前記一対のタンク部（１２、１３）のうち他方のタンク部（１２）における、前記第２コア部（１１ｂ）よりも前記第１コア部（１１ａ）に近い側には、前記他方のタンク部（１２）内部に前記冷媒を導入するための冷媒導入部（１２ａ）が接続されており、
前記第２蒸発部（２０）における前記一対のタンク部（２２、２３）のうち、一方のタンク部（２３）には、前記第２冷媒集合部（１３ｂ）から当該一方のタンク部（２３）内に前記冷媒を流入させる第１連通部（３１）と、前記第１冷媒集合部（１３ａ）から当該一方のタンク部（２３）内に前記冷媒を流入させる第 ２連通部（３２）とが接続されており、
前記第１連通部（３１）および前記第２連通部（３２）は、それぞれ、前記第２蒸発部（２０）の前記一方のタンク部（２３）における前記第４コア部（２１ｂ）と対応する部位に配置されており、
前記第１通部（３１）は、前記第２連通部（３２）よりも、前記第３コア部（２１ａ）に近い側に配置されており、
前記第１蒸発部（１０）の前記一方のタンク部（１３）および前記第２蒸発部（２０）の前記一方のタンク部（２３）のうち、少なくとも一方のタンク部 （１３）の内部には、前記第１冷媒集合部（１３ａ）の冷媒を前記第２連通部（３２）に導くとともに、前記第２冷媒集合部（１３ｂ）の冷媒を前記第１連通部 （３１）に導く冷媒入替部（１３ｃ、１３ｄ）が設けられており、
前記冷媒入替部（１３ｃ、１３ｄ）は、前記第１冷媒集合部（１３ａ）からの前記冷媒を前記第２連通部（３２）へ導く冷媒流れ、および、前記第２冷媒集合 部（１３ｂ）からの前記冷媒を前記第１連通部（３１）へ導く冷媒流れが、前記チューブ（１１１、２２２）の長手方向から見たときに非交差状態となるように構成されていることを特徴とする冷媒蒸発器。
【手続補正２】
【補正対象書類名】明細書
【補正対象項目名】０００９
【補正方法】変更
【補正の内容】
【０００９】
上記目的を達成するため、請求項１に記載の発明では、被冷却流体の流れ方向に対して直列に配置された第１蒸発部（１０）、および第２蒸発部（２０）を備え、第１蒸発部（１０）および第２蒸発部（２０）それぞれは、冷媒が流れる複数のチューブ（１１１、２１１）を積層して構成されるコア部（１１、２１）と、複数のチューブ（１１１、２１１）の両端部に接続され、複数のチューブ（１１１、２１１）を流れる冷媒の集合あるいは分配を行う一対のタンク部（１２、１３、２２、２３）とを有し、第１蒸発部（１０）におけるコア部（１１）は、複数のチューブ（１１１）のうち、一部のチューブ群で構成される第１コア部（１１ａ）、および残部のチューブ群で構成される第２コア部（１１ｂ）を有し、第２蒸発部（２０）におけるコア部（２１）は、複数のチューブ（２１１）のうち、被冷却流体の流れ方向において第１コア部（１１ａ）の少なくとも一部と対向するチューブ群で構成される第３コア部（２１ａ）、および被冷却流体の流れ方向において第２コア部（１１ｂ）の少なくとも一部と対向するチューブ群で構成される第４コア部（２１ｂ）を有し、第１蒸発部（１０）における一対のタンク部（１２、１３）のうち、一方のタンク部（１３）は、第１コア部（１１ａ）からの冷媒を集合させる第１冷媒集合部（１３ａ）、および第２コア部（１１ｂ）からの冷媒を集合させる第２冷媒集合部（１３ｂ）を含んで構成され、第２蒸発部（２０）における一対のタンク部（２２、２３）のうち、一方のタンク部（２３）は、第３コア部（２１ａ）に冷媒を分配させる第１冷媒分配部（２３ａ）、および第４コア部（２１ｂ）に冷媒を分配させる第２冷媒分配部（２３ｂ）を含んで構成され、第２冷媒集合部（１３ｂ）と第１冷媒分配部（２３ａ）とは、第１連通部（３１）を介して接続されており、第１冷媒集合部（１３ａ）と第２冷媒分配部（２３ｂ）とは、第２連通部（３２）を介して接続されており、第１蒸発部（１０）の一方のタンク部（１３）および第２蒸発部（２０）の一方のタンク部（２３）のうち、少なくとも一方のタンク部（１３）の内部には、第１冷媒集合部（１３ａ）の冷媒を第２冷媒分配部（２３ｂ）に導くとともに、第２冷媒集合部（１３ｂ）の冷媒を第１冷媒分配部（２３ａ）に導く冷媒入替部（１３ｃ、１３ｄ）が設けられており、冷媒入替部（１３ｃ、１３ｄ）は、第１冷媒集合部（１３ａ）からの冷媒を第２冷媒分配部（２３ｂ）へ導く冷媒流れ、および、第２冷媒集合部（１３ｂ）からの冷媒を第１冷媒分配部（２３ａ）へ導く冷媒流れが、チューブ（１１１、２２２）の長手方向から見たときに非交差状態となるように構成されており、第１蒸発部（１０）の一対のタンク部（１２、１３）のうち他方のタンク部（１２）における、第２コア部（１１ｂ）よりも第１コア部（１１ａ）に近い側には、他方のタンク部（１２）内部に冷媒を導入するための冷媒導入部（１２ａ）が接続されており、第２連通部（３２）は、第２蒸発部（２０）の一方のタンク部（２３）の、チューブ（１１１、２２２）の積層方向における冷媒導入部（１２ａ）から遠い側の端部に接続されており、複数のチューブ（１１１、２２２）は、冷媒が鉛直方向に流れるように構成されており、第１蒸発部（１０）における一方のタンク部（１３）の内部には、タンク内空間を上側空間と下側空間とに仕切る第１仕切部（１３１）と、上側空間を、チューブ（１１１、２２２）の積層方向に２つに仕切る第２仕切部（１３２）と、下側空間の少なくとも一部を、被冷却流体の流れ方向に２つに仕切る第３仕切部（１３３）とが設けられており、第２仕切部（１３２）により２つに仕切られた上側空間のうち、一方の空間が第１冷媒集合部（１３ａ）を形成するとともに、他方の空間が第２冷媒集合部（１３ｂ）を形成しており、第３仕切部（１３３）により２つに仕切られた下側空間のうち、一方の空間（１３ｃ）が第１冷媒集合部（１３ａ）および第２冷媒分配部 （２３ｂ）の双方に連通しているとともに、他方の空間（１３ｄ）が第２冷媒集合部（１３ｂ）および第１冷媒分配部（２３ａ）の双方に連通しており、第３仕切部（１３３）により２つに仕切られた下側空間（１３ｃ、１３ｄ）が、冷媒入替部を形成していることを特徴とする。
【手続補正３】
【補正対象書類名】明細書
【補正対象項目名】００１３
【補正方法】変更
【補正の内容】
【００１３】
そこで、請求項１に記載の発明では、第１冷媒集合部（１３ａ）と第２冷媒分配部（２３ｂ）とを連通させる第２連通部（３２）は、第２蒸発部（２０）の一方のタンク部（２３）の、チューブ積層方向における冷媒導入部（１２ａ）から遠い側の端部に接続されている。
【手続補正４】
【補正対象書類名】明細書
【補正対象項目名】００１６
【補正方法】変更
【補正の内容】
【００１６】
また、請求項３に記載の発明では、被冷却流体の流れ方向に対して直列に配置された第１蒸発部（１０）、および第２蒸発部（２０）を備え、第１蒸発部（１０）および第２蒸発部（２０）それぞれは、冷媒が流れる複数のチューブ（１１１、２１１）を積層して構成されるコア部（１１、２１）と、複数のチューブ（１１１、２１１）の両端部に接続され、複数のチューブ（１１１、２１１）を流れる冷媒の集合あるいは分配を行う一対のタンク部（１２、１３、２２、２３）とを有し、第１蒸発部（１０）におけるコア部（１１）は、複数のチューブ（１１１）のうち、一部のチューブ群で構成される第１コア部（１１ａ）、および残部のチューブ群で構成される第２コア部（１１ｂ）を有し、第２蒸発部（２０）におけるコア部（２１）は、複数のチューブ（２１１）のうち、被冷却流体の流れ方向において第１コア部（１１ａ）の少なくとも一部と対向するチューブ群で構成される第３コア部（２１ａ）、および被冷却流体の流れ方向において第２コア部（１１ｂ）の少なくとも一部と対向するチューブ群で構成される第４コア部（２１ｂ）を有し、第１蒸発部（１０）における一対のタンク部（１２、１３）のうち、一方のタンク部（１３）は、第１コア部（１１ａ）からの冷媒を集合させる第１冷媒集合部（１３ａ）、および第２コア部（１１ｂ）からの冷媒を集合させる第２冷媒集合部（１３ｂ）を含んで構成され、第１蒸発部（１０）の一対のタンク部（１２、１３）のうち他方のタンク部（１２）における、第２コア部（１１ｂ）よりも第１コア部（１１ａ）に近い側には、他方のタンク部（１２）内部に冷媒を導入するための冷媒導入部（１２ａ）が接続されており、第２蒸発部（２０）における一対のタンク部（２２、２３）のうち、一方のタンク部（２３）には、第２冷媒集合部（１３ｂ）から当該一方のタンク部（２３）内に冷媒を流入させる第１連通部（３１）と、第１冷媒集合部（１３ａ）から当該一方のタンク部（２３）内に冷媒を流入させる第２連通部（３２）とが接続されており、第１連通部（３１）および第２連通部（３２）は、それぞれ、第２蒸発部（２０）の一方のタンク部（２３）における第４コア部（２１ｂ）と対応する部位に配置されており、第１通部（３１）は、第２連通部（３２）よりも、第３コア部（２１ａ）に近い側に配置されており、第１蒸発部（１０）の一方のタンク部（１３）および第２蒸発部（２０）の一方のタンク部（２３）のうち、少なくとも一方のタンク部（１３）の内部には、第１冷媒集合部（１３ａ）の冷媒を第２連通部（３２）に導くとともに、第２冷媒集合部（１３ｂ）の冷媒を第１連通部（３１）に導く冷媒入替部（１３ｃ、１３ｄ）が設けられており、冷媒入替部（１３ｃ、１３ｄ）は、第１冷媒集合部（１３ａ）からの冷媒を第２連通部（３２）へ導く冷媒流れ、および、第２冷媒集合部（１３ｂ）からの冷媒を第１連通部（３１）へ導く冷媒流れが、チューブ（１１１、２２２）の長手方向から見たときに非交差状態となるように構成されていることを特徴とする。